【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
光ファイバーを備え、この光ファイバーは、第１の外側クラッド領域に包囲された１本以上のコアを有し、第１の外側クラッド領域は、第２の外側クラッド領域によって包囲されており、第１の外側クラッド領域の断面は、第１の外側クラッド部を包囲するいかなる材料よりも屈折率が小さい多数の第１の外側クラッド部を有し、複数の前記第１の外側クラッド部に対し、２つの最も近い位置で隣接する第１の外側クラッド部の間の最短距離が、１．０μｍよりも小さいか、あるいは、使用中にファイバーを通して誘導される光の光波長よりも小さいことを特徴とする物品。
【請求項２】
コアは、外側クラッドによって包囲されており、外側クラッドは、第１と第２の外側クラッド領域を備え、第１の外側クラッド領域は、コアと第２の外側クラッド領域の間に配置されていることを特徴とする、請求項１に記載の物品。
【請求項３】
第１の外側クラッド領域の断面の内径もしくは内側断面寸法が、１５μｍ以上であることを特徴とする請求項１または２に記載の物品。
【請求項４】
第１の外側クラッド領域の内径または内側断面寸法が、２０μｍ以上であることを特徴とする、請求項３に記載の物品。
【請求項５】
第１の外側クラッド領域の内径または内側断面寸法が、８０〜１２５μｍの範囲内、もしくは１２５〜３５０μｍの範囲内であることを特徴とする、請求項１または２に記載の物品。
【請求項６】
ファイバーは、多数のコアを備えており、これら多数のコアは、それぞれ、対応する第１の外側クラッド領域に包囲されており、前記コアと第１の外側クラッド領域は、第２の外側クラッド領域によって包囲されており、第１の外側クラッド領域の断面は、それぞれ、外側クラッド部を包囲するいかなる材料より屈折率が小さい第１の外側クラッド部を多数有し、前記第１の外側クラッド領域のそれぞれの、複数の第１の外側クラッド部においては、２つの最も近い位置で隣接する第１の外側クラッド部の間の最短距離が、１．０μｍ未満、もしくは使用中にファイバーを通して誘導される光の光波長よりも小さいことを特徴とする、請求項１に記載の物品。
【請求項７】
光ファイバーを備え、光ファイバーは、多数のコアを備え、前記多数のコアのうち複数が、それぞれ対応する第１の外側クラッド領域によって包囲され、コア及び第１の外側クラッド領域は、第２の外側クラッド領域に包囲され、第１の外側クラッド領域のそれぞれの断面は、第１の外側クラッド部を包囲するいかなる材料よりも屈折率が小さい第１の外側クラッド部を多数備え、前記第１の外側クラッド領域それぞれにおける複数の第１の外側クラッド部において、２つの最も近い位置で隣接する第１の外側クラッド部の間の最短距離は、１．０μｍ未満か、または使用中にファイバーを通して誘導される光の光波長より小さいことを特徴とする物品。
【請求項８】
前記多数のコアが、それぞれ第１の外側クラッド領域によって包囲されていることを特徴とする、請求項６または７に記載の物品。
【請求項９】
それぞれ対応する第１の外側クラッド領域によって包囲されている複数のコアの少なくとも一部が、２つの隣接するコアの第１の外側クラッド領域が、多数の前記第１の外側クラッド部を共有するように配置されていることを特徴とする、請求項６〜８のいずれかに記載の物品。
【請求項１０】
第１の外側クラッド領域によって包囲されている複数のコアは、すべて、二つの隣接するコアの第１の外側クラッド領域が、多数の前記第１の外側クラッド部を共有するように配置されていることを特徴とする、請求項９に記載の物品。
【請求項１１】
すべてもしくは多数の第１の外側クラッド領域の断面が、５〜１００μｍの内径もしくは内側断面寸法を有することを特徴とする、請求項６〜１０のいずれかに記載の物品。
【請求項１２】
多数もしくはすべての第１の外側クラッド領域の断面が、３０〜６０μｍの内径もしくは内側断面寸法を有することを特徴とする、請求項６〜１１のいずれかに記載の物品。
【請求項１３】
それぞれ第１の外側クラッド領域によって包囲されている前記すべてもしくは複数のコアが、少なくとも２０本のコアを有することを特徴とする、請求項６〜１２に記載の物品。
【請求項１４】
それぞれ第１の外側クラッド領域によって包囲されている前記すべてもしくは複数のコアが、少なくとも１００本のコアを有することを特徴とする、請求項１３に記載の物品。
【請求項１５】
それぞれ第１の外側クラッド領域によって包囲されている前記すべてもしくは複数のコアが、少なくとも１０００本のコアを有することを特徴とする、請求項１４に記載の物品。
【請求項１６】
それぞれ第１の外側クラッド領域によって包囲されている前記すべてもしくは複数のコアが、３０００本以上のコアを有することを特徴とする、請求項１５に記載の物品。
【請求項１７】
第２の外側クラッド領域が、外側クラッドの一部であり、さらに、第３と第４の外側クラッド領域を有すると共に、第３の外側クラッド領域が第２と第４の外側クラッド領域の間に配置されており、第３の外側クラッド領域の断面が、第３の外側クラッド部を包囲するいかなる材料より小さい屈折率の多数の第３の外側クラッド部を備え、複数の前記第３の外側クラッド部において、２つの最も近い位置で隣接する第３の外側クラッド部の間の最短距離が、１．０μｍ未満、もしくは、使用中にファイバーを通して誘導される光の光波長よりも小さいことを特徴とする、請求項１〜１６のいずれかに記載の物品。
【請求項１８】
複数の前記第１及び／または第３の外側クラッド部において、２つの最も近い位置で隣接する外側クラッド部の間の最短距離は、０．５μｍ未満であることを特徴とする、前記請求項のいずれかに記載の物品。
【請求項１９】
複数の前記第１または第３の外側クラッド部において、２つの最も近い位置で隣接する外側クラッド部の間の最短距離は、０．４μｍ未満であることを特徴とする、前記請求項のいずれかに記載の物品。
【請求項２０】
複数の前記第１または第３の外側クラッド部において、２つの最も近い位置で隣接する外側クラッド部の間の最短距離は、０．３μｍ未満であることを特徴とする、前記請求項のいずれかに記載の物品。
【請求項２１】
複数の前記第１または第３の外側クラッド部において、２つの最も近い位置で隣接する外側クラッド部の間の最短距離は、０．２μｍ未満であることを特徴とする、前記請求項のいずれかに記載の物品。
【請求項２２】
複数の前記第１の外側クラッド部において、２つの最も近い位置で隣接する第１の外側クラッド部の間の最短距離が、使用中にファイバーを通して誘導される光の最短光波長よりも小さいことを特徴とする、請求項１〜２１のいずれかに記載の物品。
【請求項２３】
複数の前記第３の外側クラッド部において、二つの最も近い位置で隣接する第３の外側クラッド部の間の最短距離が、使用中にファイバーを通して誘導される光の最短光波長よりも小さいことを特徴とする、請求項１７〜２２のいずれかに記載の物品。
【請求項２４】
単数または複数のコアの断面寸法は、２５μｍより大きく、例えば５０μｍより大きく、例えば７５μｍより大きく、あるいは、１００μｍより大きくてもよく、それにより、ファイバーがコア内において、マルチモードで光を誘導することができるようになっていることを特徴とする、請求項１〜１０のいずれか、または１３〜２３のいずれかに記載の物品。
【請求項２５】
１本以上のコアが、包囲されているコアの実効屈折率より小さい実効屈折率を有する内側クラッド領域によって包囲されており、前記内側クラッド領域は、内側クラッドの一部であることを特徴とする、請求項１〜２４のいずれかに記載の物品。
【請求項２６】
それぞれの内側クラッド領域は、対応する第１の外側クラッド領域によって包囲されていることを特徴とする、請求項２５に記載の物品。
【請求項２７】
１つ以上の外側クラッド領域において、第１の外側クラッド部は、第１の外側クラッド領域の断面積の４５％以上を占めていることを特徴とする、前記請求項のいずれかに記載の物品。
【請求項２８】
第１の外側クラッド領域すべてにおいて、第１の外側クラッド部は、第１の外側クラッド領域の断面積の４５％以上を占めていることを特徴とする、請求項２７に記載の物品。  
【請求項２９】
第１の外側クラッド部は、第１の外側クラッドの断面積の５０％以上、例えば、６０％以上、または７０％以上を占めていることを特徴とする、請求項２７または２８に記載の物品。
【請求項３０】
第３の外側クラッド部は、第３の外側クラッドの４５％以上を占めていることを特徴とする、請求項１７〜２９のいずれかに記載の物品。
【請求項３１】
第３の外側クラッド部は、第３の外側クラッドの断面積の５０％以上、例えば、６０％以上、または７０％以上を占めていることを特徴とする、請求項３０に記載の物品。
【請求項３２】
内側クラッドもしくはそれぞれの内側クラッド領域の断面は、単一の内側クラッド部を備えていることを特徴とする、請求項２５〜３１のいずれかに記載の物品。
【請求項３３】
内側クラッドもしくは一つ以上の内側クラッド領域の断面に、２つ以上の内側クラッド部を備えていることを特徴とする、請求項２５〜３１のいずれかに記載の物品。
【請求項３４】
内側クラッドもしくは１つ以上の内側クラッド領域の断面に、１０個未満の内側クラッド部を備えていることを特徴とする、請求項３３に記載の物品。
【請求項３５】
内側クラッド部が、非周期的に配置されていることを特徴とする、請求項３３または３４に記載の物品。
【請求項３６】
光ファイバーは、共通の第１の外側クラッド領域によって包囲された２本以上のコアを備えていることを特徴とする、請求項１〜５のいずれか、または１７〜２５のいずれか、または２７〜３１のいずれかに記載の物品。
【請求項３７】
光ファイバーは、例えば７本以上、例えば、１９本以上、または３７本以上のコアを共通の第１の外側クラッド領域で包囲したものであることを特徴とする、請求項３６に記載の物品。
【請求項３８】
光ファイバーは、略環状に配置した複数のコアを備え、前記複数のコアを、共通の第１の外側クラッド領域によって包囲したことを特徴とする、請求項３６または３７に記載の物品。
【請求項３９】
複数の略環状に配置したコアを内側クラッドの内部に配置して、内側クラッドの大部分を略環状に配置したコアで包囲し、前記内側クラッドの実効屈折率が、前記略環状に配置したコアそれぞれの実効屈折率よりも低くなるように構成したことを特徴とする、請求項３８に記載の物品。
【請求項４０】
１組の２本の最も近い位置で隣接するコアの間の距離が、別の１組の２本の最も近い位置で隣接するコアの間の距離とほぼ等しいことを特徴とする、請求項３６〜３９のいずれかに記載の物品。
【請求項４１】
共通の第１の外側クラッド領域に包囲された前記コアが、それぞれ、包囲されているコアより実効屈折率が小さい内側クラッド領域によって包囲されており、前記内側クラッド領域が、共通の第１の外側クラッド領域によって包囲された内側クラッドの一部であることを特徴とする、請求項３６〜４０のいずれかに記載の物品。
【請求項４２】
内側クラッドの断面は、多数の内側クラッド部を備えていることを特徴とする、請求項３６〜４１のいずれかに記載の物品。
【請求項４３】
内側クラッドは、２個以上の内側クラッド部を備えていることを特徴とする、請求項４２に記載の物品。
【請求項４４】
内側クラッドは、１０個以上の内側クラッド部を備えていることを特徴とする、請求項４３に記載の物品。
【請求項４５】
内側クラッド部の少なくとも一部が、  前記コアのうちの１本を囲む内側クラッド領域において、前記内側クラッド領域が、いくつかの内側クラッド部を備えていることを特徴とする、請求項４２〜４４のいずれかに記載の物品。
【請求項４６】
内側クラッド領域の内側クラッド部を、周期的に配置したことを特徴とする、請求項４５に記載の物品。
【請求項４７】
光ファイバーは、前記内側クラッド内で周期的に配分された多数の内側クラッド部を有する内側クラッドによって包囲されたコアを備え、前記内側クラッドは、第１の外側クラッド領域によって包囲されていることを特徴とする、請求項１〜５のいずれか、または１７〜２４のいずれか、または２７〜３１のいずれかに記載の物品。
【請求項４８】
コアは、コア部を包囲しているコア材料より屈折率が小さいコア部を備えていることを特徴とする、請求項４７に記載の物品。
【請求項４９】
内側クラッド部の周期的配置が、内側クラッドの中心から半径方向に、４または５周期以上であることを特徴とする、請求項４７または４８に記載の物品。
【請求項５０】
第１の外側クラッド部は、非円形対称に配置されていることを特徴とする、前記請求項のいずれかに記載の物品。
【請求項５１】
第１の外側クラッド領域の断面は、略六角形状であることを特徴とする、前記請求項のいずれかに記載の物品。
【請求項５２】
異なる寸法の第１の外側クラッド部が存在することを特徴とする、前記請求項のいずれかに記載の物品。
【請求項５３】
第１または第３の外側クラッド部または内側クラッド部が、間隙であることを特徴とする、前記請求項のいずれかに記載の物品。
【請求項５４】
第１または第３の外側クラッド部または内側クラッド部には、真空、空気、気体、液体、重合体、またはそれらの組み合わせが充填されていることを特徴とする、前記請求項のいずれかに記載の物品。
【請求項５５】
内側クラッド領域によって包囲されたコアの断面寸法は、１０μｍ未満であることを特徴とする、請求項２５〜５４のいずれかに記載の物品。
【請求項５６】
コアは、Ｇｅ（ゲルマニウム），Ａｌ（アルミニウム），Ｐ（リン），Ｓｎ（スズ）及びＢ（ホウ素）からなる群中の一部材以上を含むことを特徴とする、前記請求項のいずれかに記載の物品。
【請求項５７】
コアは、Ｅｒ（エルビウム），Ｙｂ（イッテルビウム），Ｎｄ（ネオジム），Ｌａ（ランタン），Ｈｏ（ホルミウム），Ｄｙ（ジスプロシウム）及び／またはＴｍ（ツリウム）などの希土類のうちの１種類以上を含むことを特徴とする、前記請求項のいずれかに記載の物品。
【請求項５８】
ファイバーが、少なくともファイバーの長さの一部に沿って、長周期格子またはファイバーブラッグ格子を有することを特徴とする、請求項５７に記載の物品。
【請求項５９】
ファイバーは、シリカ、カルコゲン、または他のタイプのガラスである背景材料を含むことを特徴とする、前記請求項のいずれかに記載の物品。
【請求項６０】
ファイバーは、重合体である背景材料を含むことを特徴とする、請求項１から５８のいずれかに記載の物品。
【請求項６１】
前記物品が、クラッドポンプファイバーレーザまたは増幅器であることを特徴とする、請求項２５〜６０のいずれかに記載の物品。
【請求項６２】
前記物品は、ポンプ放射源と１本の前記光ファイバーを備えたクラッドポンプファイバーレーザもしくは増幅器であることを特徴とする、請求項２５〜６１に記載の物品。
【請求項６３】
前記最短光波長は、前記ポンプ放射源の波長によって決定することができることを特徴とする、請求項２２または２３または６２に記載の物品。
【請求項６４】
前記光ファイバーの断面は、ファイバーの全長に渡り、内側クラッド領域が非均一形状であることを特徴とする、前記請求項のいずれかに記載の物品。
【請求項６５】
第１及び／または第３の外側クラッド部は、周期的に配分されていることを特徴とする、前記請求項のいずれかに記載の物品。
【請求項６６】
内側クラッド領域は、コアで生成された光のリザーバとして作用することを特徴とする、請求項２５から６５のいずれかに記載の物品。
【請求項６７】
光ファイバーは、２本以上のコアを備えていることを特徴とする、請求項２５から６６のいずれかに記載の物品。
【請求項６８】
前記２本以上のコアは、高出力広帯域増幅用に構成されていることを特徴とする、請求項６７に記載の物品。
【請求項６９】
ファイバーコア材料は、内側クラッド領域の背景材料と同じであることを特徴とする、請求項３２〜６８のいずれかに記載の物品。
【請求項７０】
前記光ファイバーは、両方向に光をポンピングすることを特徴とする、請求項２５〜６９のいずれかに記載の物品。
【請求項７１】
前記第１の外側クラッド部の大部分または全体において、２つの最も近い位置で隣接する外側クラッド部間の最短距離が１．０μｍ未満であることを特徴とする、前記請求項のいずれかに記載の物品。
【請求項７２】
前記第１の外側クラッド部の大部分または全体において、二つの最も近い位置で隣接する外側クラッド部の間の最短距離は、０．５μｍ未満、０．４μｍ未満、０．３μｍ未満、または０．２μｍ未満であることを特徴とする、請求項７１に記載の物品。
【請求項７３】
前記第１の外側クラッド部の大部分もしくは全体において、二つの最も近い位置で隣接する外側クラッド部の間の最短距離が、使用中にファイバーを通して誘導される光の光波長よりも小さいことを特徴とする、前記請求項のいずれかに記載の物品。
【請求項７４】
前記第１の外側クラッド部の大部分もしくは全体において、２つの最も近い位置で隣接する外側クラッド部の間の最短距離が、使用中にファイバーを通して誘導される光の最短光波長よりも小さいことを特徴とする、前記請求項のいずれかに記載の物品。
【請求項７５】
第３の外側クラッド部の大部分または全体において、最も近い位置で隣接する外側クラッド部の間の最短距離が、１．０μｍ未満であることを特徴とする、請求項１７から７４のいずれかに記載の物品。
【請求項７６】
前記第３の外側クラッド部の大部分または全体において、２つの最も近い位置で隣接する外側クラッド部の間の最短距離は、０．５μｍ未満、０．４μｍ未満、０．３μｍ未満、または０．２μｍ未満であることを特徴とする、請求項７５に記載の物品。
【請求項７７】
前記第３の外側クラッド部の大部分または全体において、２つの最も近い位置で隣接する外側クラッド部の間の最短距離は、使用中にファイバーを通して誘導される光の光波長よりも小さいことを特徴とする、請求項１７から７６のいずれかに記載の物品。
【請求項７８】
前記第３の外側クラッド部の大部分または全体において、２つの最も近い位置で隣接する外側クラッド部の間の最短距離は、使用中にファイバーを通して誘導される光の最短光波長より小さいことを特徴とする、請求項１７〜７７のいずれかに記載の物品。
【請求項７９】
外側クラッドの実効屈折率が、すべてのコアの実効屈折率よりも小さいことを特徴とする、前記請求項のいずれかに記載の物品。
【請求項８０】
外側クラッドの実効屈折率は、内側クラッドまたは内側クラッド領域の実効屈折率よりも小さいことを特徴とする、請求項２５〜７９のいずれかに記載の物品。
【請求項８１】
第２の外側クラッド領域は、均質材料から形成されていることを特徴とする、請求項１７〜８０に記載の物品。
【請求項８２】
第１の外側クラッド部の最大断面寸法は、１０μｍ以下であることを特徴とする、前記請求項のいずれかに記載の物品。
【請求項８３】
第１の外側クラッド部の最大断面寸法は、３μｍ以下であることを特徴とする、前記請求項のいずれかに記載の物品。
【請求項８４】
内側クラッドが背景材料と複数のクラッド部を有し、前記クラッド部は、内側クラッドの背景材料の屈折率より大きいか、または小さいことを特徴とする、請求項２５〜２６のいずれか、もしくは２７〜３１のいずれか、もしくは３３〜８３のいずれか一つに記載の物品。
【請求項８５】
内側クラッド部の屈折率は、背景材料の屈折率よりも小さいことを特徴とする、請求項８４に記載の物品。
【請求項８６】
内側クラッド部は間隙であることを特徴とする、請求項８４または８５に記載の物品。
【請求項８７】
内側クラッド部には、空気、気体、液体または重合体、あるいはそれらの組み合わせを充填してあることを特徴とする、請求項８１〜８６のいずれかに記載の物品。
【請求項８８】
内側クラッド部の屈折率は、背景材料の屈折率よりも小さく、内側クラッド部の断面径もしくは寸法は、隣接する内側クラッド部の中心間の間隔の０．３〜０．６倍、好ましくは０．３〜０．５倍、さらに好ましくは０．２〜０．３倍、最も好ましくは０．２２〜０．２８倍であることを特徴とする、請求項８１〜８７のいずれかに記載の物品。
【請求項８９】
隣接する内側クラッド部の間の中心間の間隔は、中心間の間隔の平均であることを特徴とする、請求項８８に記載の物品。
【請求項９０】
中心間の間隔は、５μｍよりも大きく、例えば、８〜１２μｍ、または、約１０μｍであることを特徴とする、請求項８８または８９に記載の物品。
【請求項９１】
コアは、屈折率を、内側クラッドの背景材料の屈折率より上げ下げするためのドーパントを１種類以上含むことを特徴とする、請求項８１〜９０のいずれかに記載の物品。
【請求項９２】
内側クラッドの外径は、６０〜４００μｍの範囲内、または２００〜４００μｍの範囲内であることを特徴とする、請求項８１〜９１のいずれかに記載の物品。
【請求項９３】
光ファイバーは、第１の端部と第２の端部を有する長い形状であり、第１の端部の第１の外側クラッド部の断面積は、第２の端部の第１の外側クラッド部のどの部分の断面積よりも大きいことを特徴とする、前記請求項のいずれかに記載の物品。
【請求項９４】
第２の端部には、第１の外側クラッド部を備えていないか、もしくは、第１の外側クラッド部は、第２の端部において完全に潰して形成してあることを特徴とする、請求項９３に記載の物品。
【請求項９５】
光ファイバーは、第１の端部と第２の端部を有する長い形状であり、第１の端部における第３の外側クラッド部の断面積は、第２の端部における第３の外側クラッド部の断面積よりも大きいことを特徴とする、請求項１７〜９４のいずれかに記載の物品。
【請求項９６】
第２の端部は、第３の外側クラッド部を備えていないか、もしくは、第３の外側クラッド部を、第２の端部において、完全に潰して形成してあることを特徴とする、請求項９５に記載の物品。
【請求項９７】
第１の外側クラッド部が、ファイバーの軸方向に延在する長い形状であることを特徴とする、前記請求項のいずれかに記載の物品。
【請求項９８】
第３の外側クラッド部が、ファイバーの軸方向に延在する長い形状であることを特徴とする、請求項１７〜９７のいずれかに記載の物品。
【請求項９９】
内側クラッド部が、ファイバーの軸方向に延在する長い形状であることを特徴とする、請求項３２〜９８のいずれかに記載の物品。
【請求項１００】
第１の外側クラッド部を包囲する背景材料、または、隣接する第１の外側クラッド部の間の領域を充填するブリッジ材料の屈折率は、内側クラッドの背景材料の屈折率よりも小さいことを特徴とする、前記請求項のいずれかに記載の物品。
【請求項１０１】
第１の外側クラッド部を包囲する背景材料、または隣接する第１の外側クラッド部の間を充填するブリッジ材料の屈折率は、内側クラッドの背景材料の屈折率より４％小さく、例えば、３％、または２％、あるいは１％小さいことを特徴とする、請求項１００に記載の物品。
【請求項１０２】
コアの屈折率と内側クラッドの背景材料の屈折率との違いは、１．０％未満であり、例えば、０．５％未満、または０．２％未満、あるいは、０．１％未満、もしくは０．０５％未満であることを特徴とする、請求項１００または１０１に記載の物品。
【請求項１０３】
コアの屈折率が、内側クラッドの背景材料の屈折率以上であることを特徴とする、請求項１０２に記載の物品。
【請求項１０４】
コアの屈折率が、内側クラッドの背景材料の屈折率以下であることを特徴とする、請求項１０２に記載の物品。
【請求項１０５】
物品が、内視鏡であることを特徴とする、請求項６〜１００のいずれかに記載の物品。
【請求項１０６】
１つ以上の所定の波長の光を誘導するための光ファイバーであって、光ファイバーは、長手の方向とそれに垂直な断面を有し、光ファイバーは、
（ａ）１つ以上のコア領域（５２，１８０，２４１，２５０，２５１，２６２）と、
（ｂ）クラッド領域とを備え、前記クラッド領域は、
外側クラッドを備え、前期外側クラッドは、
（ｉ）１つ以上の第１の外側クラッド領域を備え、前記第１の外側クラッド領域は、第１の外側クラッド背景材料と複数の第１の外側クラッド部（５０，５１，１８１，２４２）とを備え、前記第１の外側クラッド部は、前記第１の外側クラッド背景材料より屈折率が小さく、前記１つ以上のコア領域を包囲しており、さらに
（ｉｉ）１つ以上のさらに外側のクラッド領域（５４，１７１，１７２，１７３，１８２，２４０）を備え、前記１つ以上のさらに外側のクラッド領域は、それぞれ、さらに外側のクラッド背景材料を有し、前記第１の外側クラッド領域を包囲しており、
さらに、複数の前記第１の外側クラッド部において、２つの最も近い位置で隣接する第１の外側クラッド部の最短距離は、１つ以上の所定の波長を有する前記光の波長より短いことを特徴とする、光ファイバー。
【請求項１０７】
さらに、内側クラッド領域（５３，１０２，２０１）を有し、前記内側クラッド領域は、内側クラッド背景材料を含むことを特徴とする、請求項１０６に記載の光ファイバー。
【請求項１０８】
前記内側クラッド領域が、１つ以上の内側クラッド部（１０１，２０２）を有することを特徴とする、請求項１０６または１０７に記載の光ファイバー。
【請求項１０９】
コアが、外側クラッドによって包囲されており、外側クラッドは、第１と、さらに外側のクラッド領域を備え、第１の外側クラッド領域は、コアとさらに外側クラッド領域との間に配置されていることを特徴とする、請求項１０６に記載の光ファイバー。
【請求項１１０】
断面における第１の外側クラッド領域の内径もしくは内側断面寸法は、１５μｍ以上であることを特徴とする、請求項１０６〜１０９のいずれか１つに記載の光ファイバー。
【請求項１１１】
第１の外側クラッド領域の内径または内側断面寸法は、２０μｍ以上であることを特徴とする、請求項１０６〜１１０のいずれか１つに記載の光ファイバー。
【請求項１１２】
第１の外側クラッド領域の内径または内側断面寸法が、８０〜１２５μｍの範囲内もしくは１２５〜３５０μｍの範囲内であることを特徴とする、請求項１０６〜１１１のいずれか１つに記載の光ファイバー。
【請求項１１３】
前記一つ以上のコア領域は、それぞれ、対応する第１の外側クラッド領域に包囲されていることを特徴とする、請求項１０６〜１１２のいずれか１つに記載の光ファイバー。
【請求項１１４】
前記１つ以上のコア領域は、共通の第１の外側クラッド領域によって包囲されていることを特徴とする、請求項１０６〜１１３のいずれか１つに記載の光ファイバー。
【請求項１１５】
それぞれが対応する第１の外側クラッド領域に包囲されている複数のコアの少なくとも一部が、２つの隣接するコアの第１の外側クラッド領域が、多数の前記第１の外側クラッド部を共有するように配置されていることを特徴とする、請求項１０６〜１１４のいずれか１つに記載の光ファイバー。
【請求項１１６】
それぞれが第１の外側クラッド領域に包囲された複数のコアのすべてが、２つの隣接するコアの第１の外側クラッド領域が、多数の前記第１の外側クラッド部を共有するように配置されていることを特徴とする、請求項１０６〜１１５のいずれか１つに記載の光ファイバー。
【請求項１１７】
すべてもしくは多数の第１の外側クラッド領域の断面が、５〜１００μｍの内径もしくは内側断面寸法を有することを特徴とする、請求項１０６〜１１６のいずれか１つに記載の光ファイバー。
【請求項１１８】
すべてもしくは多数の第１の外側クラッド領域の断面が、３０〜６０μｍの内径もしくは内側断面寸法を有することを特徴とする、請求項１０６〜１１７のいずれか１つに記載の光ファイバー。
【請求項１１９】
それぞれ第１の外側クラッド領域によって包囲されている前記複数のコアが、２０本以上のコアを有し、好ましくは１００本のコアを有し、さらに好ましくは１０００本以上のコアを有し、特に３０００以上本のコアを有することを特徴とする、請求項１０６〜１１８のいずれか１つに記載の光ファイバー。
【請求項１２０】
複数の前記第１の外側クラッド部において、２つの最も近い位置で隣接する外側クラッド領域の間の最短距離が、１．０μｍより小さく、好ましくは０．８μｍより小さく、さらに好ましくは０．７μｍより小さく、またさらに好ましくは０．６μｍより小さく、最も好ましくは０．５μｍより小さく、さらに特別好ましくは０．４μｍより小さく、さらに好ましくは０．３μｍより小さく、最も好ましくは０．２μｍより小さいことを特徴とする、請求項１０６〜１１９のいずれか１つに記載の光ファイバー。
【請求項１２１】
２つ以上の所定の波長で誘導され、複数の前記第１の外側クラッド部において、２つの最も近い位置で隣接する第１の外側クラッド部の間の最短距離が、ファイバーを通して誘導される光の最短光波長よりも短いことを特徴とする、請求項１０６〜１２０のいずれか１つに記載の光ファイバー。
【請求項１２２】
単数または複数のコアの断面寸法は、２５μｍより大きく、例えば５０μｍより大きく、例えば７５μｍより大きいか、あるいは、１００μｍより大きくてもよく、それにより、ファイバーが、コア内においてマルチモードで光を誘導することができるようになることを特徴とする請求項１０６〜１２１のいずれか１つに記載の光ファイバー。
【請求項１２３】
１本以上のコアが、包囲されているコアの実効屈折率より小さい実効屈折率を有する内側クラッド領域によって包囲されており、前記内側クラッド領域は内側クラッドの一部であることを特徴とする、請求項１０６〜１２２のいずれか１つに記載の光ファイバー。
【請求項１２４】
それぞれの内側クラッド領域は、対応する第１の外側クラッド領域によって包囲されていることを特徴とする、請求項１０６〜１２３のいずれか１つに記載の光ファイバー。
【請求項１２５】
一つ以上の第１の外側クラッド領域において、第１の外側クラッド部は、第１の外側クラッド領域の断面積の４５％以上を占めていることを特徴とする、請求項１０６〜１２４のいずれか１つに記載の光ファイバー。
【請求項１２６】
第１の外側クラッド領域すべてにおいて、第１の外側クラッド部は、第１の外側クラッド領域の断面積の４５％以上を占めていることを特徴とする、請求項１０６〜１２５のいずれか１つに記載の光ファイバー。
【請求項１２７】
第１の外側クラッド部は、第１の外側クラッドの断面積の５０％以上、例えば、６０％以上、または７０％以上を占めていることを特徴とする、請求項１０６〜１２６のいずれか１つに記載の光ファイバー。
【請求項１２８】
内側クラッドもしくは１つ以上の内側クラッド領域の断面は、単一の内側クラッド部を備えていることを特徴とする、請求項１０６〜１２７のいずれか１つに記載の光ファイバー。
【請求項１２９】
内側クラッドもしくは１つ以上の内側クラッド領域の断面には、２つ以上の内側クラッド部を備えていることを特徴とする、請求項１０６〜１２８のいずれか１つに記載の光ファイバー。
【請求項１３０】
内側クラッドもしくはそれぞれの内側クラッド領域の断面には、１０個未満の内側クラッド部を備えていることを特徴とする、請求項１０６〜１２９のいずれか１つに記載の光ファイバー。
【請求項１３１】
内側クラッド部が、非周期的に配置されていることを特徴とする、請求項１０６〜１３０のいずれか１つに記載の光ファイバー。
【請求項１３２】
光ファイバーは、共通の第１の外側クラッド領域によって包囲された２本以上のコアを備えることを特徴とする、請求項１０６〜１３１のいずれか１つに記載の光ファイバー。
【請求項１３３】
光ファイバーは、例えば７本以上、例えば、１９本以上、または３７本以上を共通の第１の外側クラッド領域で包囲したものであることを特徴とする、請求項１０６〜１３２のいずれか１つに記載の光ファイバー。
【請求項１３４】
光ファイバーは、略環状に配置した複数のコアを備え、前記複数のコアを共通の第１の外側クラッド領域によって包囲したことを特徴とする、請求項１０６〜１３３のいずれか１つに記載の光ファイバー。
【請求項１３５】
光ファイバーが、前記内側クラッド内に周期的に分配された多数の内側クラッド部を有する内側クラッドによって包囲されたコアを備え、前記内側クラッドは、第１の外側クラッド領域によって包囲されていることを特徴とする、請求項１０６〜１３４のいずれか１つに記載の光ファイバー。
【請求項１３６】
コアが、コア部を包囲するコア材料の屈折率より小さい屈折率のコア部を備えていることを特徴とする、請求項１０６〜１３５のいずれか１つに記載の光ファイバー。
【請求項１３７】
内側クラッド部の周期的配置が、内側クラッドの中心から半径方向に４または５周期以上であることを特徴とする、請求項１０６〜１３６のいずれか１つに記載の光ファイバー。
【請求項１３８】
第１の外側クラッド部は、非円形対称に配置されていることを特徴とする、請求項１０６〜１３７のいずれか１つに記載の光ファイバー。
【請求項１３９】
第１の外側クラッド領域の断面は略六角形状であることを特徴とする、請求項１０６〜１３８のいずれか１つに記載の光ファイバー。
【請求項１４０】
異なる寸法の第１の外側クラッド部が存在することを特徴とする、請求項１０６〜１３９のいずれか１つに記載の光ファイバー。
【請求項１４１】
第１の外側クラッド部が、間隙であることを特徴とする、請求項１０６〜１４０のいずれか１つに記載の光ファイバー。
【請求項１４２】
第１の外側クラッド部には、真空、空気、気体、液体、重合体、またはそれらの組み合わせが充填されていることを特徴とする、請求項１０６〜１４１のいずれか１つに記載の光ファイバー。
【請求項１４３】
内側クラッド領域によって包囲された単数または複数のコアの断面寸法は、１０μｍ未満であることを特徴とする、請求項１０６〜１４２のいずれか１つに記載の光ファイバー。
【請求項１４４】
単数または複数のコアは、Ｇｅ，Ａｌ，Ｐ，Ｓｎ及びＢからなる群中の一部材以上を含むことを特徴とする、請求項１０６〜１４３のいずれか１つに記載の光ファイバー。
【請求項１４５】
単数または複数のコアは、Ｅｒ，Ｙｂ，Ｎｄ，Ｌａ，Ｈｏ，Ｄｙ及び／またはＴｍなどの希土類のうちの１種類以上を含むことを特徴とする、請求項１０６〜１４４のいずれか１つに記載の光ファイバー。
【請求項１４６】
ファイバーが、少なくともファイバー長の一部に沿って、長周期格子またはファイバーブラッグ格子を有することを特徴とする、請求項１０６〜１４５のいずれか１つに記載の光ファイバー。
【請求項１４７】
ファイバーは、シリカ、カルコゲン、または他のタイプのガラスである背景材料を含むことを特徴とする、請求項１０６〜１４６のいずれか１つに記載の光ファイバー。
【請求項１４８】
ファイバーは、重合体である背景材料を含むことを特徴とする、請求項１０６〜１４７のいずれか１つに記載の光ファイバー。
【請求項１４９】
光ファイバーが、クラッドポンプファイバーレーザまたは増幅器であることを特徴とする、請求項１０６〜１４８のいずれか１つに記載の光ファイバー。
【請求項１５０】
光ファイバーは、ポンプ放射源と１本の前記光ファイバーを備えたクラッドポンプファイバーレーザもしくは増幅器であることを特徴とする、請求項１０６〜１４９のいずれか１つに記載の光ファイバー。
【請求項１５１】
前記所定の波長は、前記ポンプ放射源の波長によって決定することができることを特徴とする、請求項１０６〜１５０のいずれか１つに記載の光ファイバー。
【請求項１５２】
前記光ファイバーの断面は、ファイバーの全長に渡り、内側クラッド領域が非均一形状であることを特徴とする、請求項１０６〜１５１のいずれか１つに記載の光ファイバー。
【請求項１５３】
第１の外側クラッド部は、周期的に配分されていることを特徴とする、請求項１０６〜１５２のいずれか１つに記載の光ファイバー。
【請求項１５４】
内側クラッド領域は、コアで生成された光のリザーバとして作用することを特徴とする、請求項１０６〜１５３のいずれか１つに記載の光ファイバー。
【請求項１５５】
光ファイバーは、２本以上のコアを備えていることを特徴とする、請求項１０６〜１５４のいずれか１つに記載の光ファイバー。
【請求項１５６】
前記２本以上のコアは、高出力広帯域増幅用に構成されていることを特徴とする、請求項１０６〜１５５のいずれか１つに記載の光ファイバー。
【請求項１５７】
ファイバーコア材料は、内側クラッド領域の背景材料と同じであることを特徴とする、請求項１０６〜１５６のいずれか１つに記載の光ファイバー。
【請求項１５８】
前記光ファイバーは、両方向に光をポンピングすることを特徴とする、請求項１０６〜１５７のいずれか１つに記載の光ファイバー。
【請求項１５９】
前記第１の外側クラッド部の大部分または全体において、二つの最も近い位置で隣接する外側クラッド部間の最短距離が１．０μｍ未満であることを特徴とする、請求項１０６〜１５８のいずれか１つに記載の光ファイバー。
【請求項１６０】
前記第１の外側クラッド部の大部分または全体において、二つの最も近い位置に隣接する外側クラッド部の間の最短距離は、例えば、０．５μｍ未満、０．４μｍ未満、０．３μｍ未満、または０．２μｍ未満であることを特徴とする、請求項１０６〜１５９のいずれか１つに記載の光ファイバー。
【請求項１６１】
前記第１の外側クラッド部の大部分もしくは全体において、二つの最も近い位置で隣接する外側クラッド部の間の最短距離が、所定の波長より小さいことを特徴とする、請求項１０６〜１６０のいずれか１つに記載の光ファイバー。
【請求項１６２】
第２の外側クラッド領域は、均質材料から形成することを特徴とする、請求項１０６〜１６１のいずれか１つに記載の光ファイバー。
【請求項１６３】
第１の外側クラッド部の最大断面寸法は、１０μｍ以下であることを特徴とする、請求項１０６〜１６２のいずれか１つに記載の光ファイバー。
【請求項１６４】
第１の外側クラッド部の最大断面寸法は、３μｍ以下であることを特徴とする、請求項１０６〜１６３のいずれか１つに記載の光ファイバー。
【請求項１６５】
内側クラッドが、背景材料と複数のクラッド部を有し、前記クラッド部は、背景材料の屈折率より大きいか、または小さいことを特徴とする、請求項１０６〜１６４のいずれか１つに記載の光ファイバー。
【請求項１６６】
内側クラッド部の屈折率は、背景材料の屈折率より小さいことを特徴とする、請求項１０６〜１６５のいずれか１つに記載の光ファイバー。
【請求項１６７】
内側クラッド部は間隙であることを特徴とする、請求項１０６〜１６６のいずれか１つに記載の光ファイバー。
【請求項１６８】
内側クラッド部が、真空、または、空気、気体、液体または重合体、あるいはそれらの組み合わせが充填されていることを特徴とする、請求項１０６〜１６７のいずれか１つに記載の光ファイバー。
【請求項１６９】
内側クラッド部の屈折率は、背景材料の屈折率より低く、内側クラッド部の断面径もしくは寸法は、隣接する内側クラッド部の中心間の間隔の０．３〜０．６倍、好ましくは０．３〜０．５倍、さらに好ましくは０．２〜０．３倍、最も好ましくは０．２２〜０．２８倍であることを特徴とする、請求項１０６〜１６８のいずれか１つに記載の光ファイバー。
【請求項１７０】
隣接する内側クラッド部の間の中心間の間隔は、中心間の間隔の平均であることを特徴とする、請求項１０６〜１６９のいずれか１つに記載の光ファイバー。
【請求項１７１】
中心間の間隔は、５μｍより大きく、例えば、８〜１２μｍ、または、約１０μｍであることを特徴とする、請求項１０６〜１７０のいずれか１つに記載の光ファイバー。
【請求項１７２】
コアは、屈折率を、内側クラッドの背景材料の屈折率より上げ下げするためのドーパントを１種類以上含むことを特徴とする、請求項１０６〜１７１のいずれか１つに記載の光ファイバー。
【請求項１７３】
内側クラッドの外径は、６０〜４００μｍの範囲内または２００〜４００μｍの範囲内であることを特徴とする、請求項１０６〜１７２のいずれか１つに記載の光ファイバー。
【請求項１７４】
光ファイバーは、第１の端部と第２の端部を有する長手の形状であり、第１の端部の第１の外側クラッド部の断面積は、第２の端部の第１の外側クラッド部のどの部分の断面積より大きいことを特徴とする、請求項１０６〜１７３のいずれか１つに記載の光ファイバー。
【請求項１７５】
第２の端部には、第１の外側クラッド部を備えていない、もしくは、第１の外側クラッド部は、第２の端部において完全に潰して形成してあることを特徴とする、請求項１０６〜１７４のいずれか１つに記載の光ファイバー。
【請求項１７６】
第１の外側クラッド部が、ファイバーの軸方向に延在する長手の形状であることを特徴とする、請求項１０６〜１７５のいずれか１つに記載の光ファイバー。
【請求項１７７】
内側クラッド部が、ファイバーの軸方向に延在する長手の形状であることを特徴とする、請求項１０６〜１７６のいずれか１つに記載の光ファイバー。
【請求項１７８】
第１の外側クラッド部を包囲する背景材料または、隣接する第１の外側クラッド部の間の領域を充填するブリッジ材料の屈折率は、内側クラッドの背景材料の屈折率より小さいことを特徴とする、請求項１０６〜１７７のいずれか１つに記載の光ファイバー。
【請求項１７９】
第１の外側クラッド部を包囲する背景材料または、隣接する第１の外側クラッド部の間の領域を充填するブリッジ材料の屈折率は、内側クラッドの背景材料の屈折率より４％小さく、例えば、３％、または２％、あるいは１％小さいことを特徴とする、請求項１０６〜１７８のいずれか１つに記載の光ファイバー。
【請求項１８０】
コアの屈折率と内側クラッドの背景材料の屈折率との違いが１．０％未満であり、例えば、０．５％未満、または０．２％未満、あるいは、０．１％未満、もしくは０．０５％未満であることを特徴とする、請求項１０６〜１７９のいずれか１つに記載の光ファイバー。
【請求項１８１】
コアの屈折率が、内側クラッドの背景材料の屈折率以上であることを特徴とする、請求項１０６〜１８０のいずれか１つに記載の光ファイバー。
【請求項１８２】
コアの屈折率が、内側クラッドの背景材料の屈折率以下であることを特徴とする、請求項１０６〜１８１のいずれか１つに記載の光ファイバー。
【請求項１８３】
光ファイバーが、内視鏡であることを特徴とする、請求項１０６〜１８２のいずれか１つに記載の光ファイバー。
【請求項１８４】
一つ以上の所定の波長の光を誘導するための光ファイバーの製造方法であり、前記方法は、
（ａ）母材を準備する工程を含み、前記母材は、
（ｖｉ）光ファイバーのコア領域（５２）を提供する一つ以上の中心母材要素（１４４）を含み、前記中心母材要素は、ロッド、管、またはその組み合わせからなる群から選択した１つ以上の要素と、
（ｖｉｉ）光ファイバーの内側クラッド領域（５３）を提供するための、複数の内側クラッド母材要素（１４２，１４３）であって、前記内側クラッド母材要素は、ロッド、管、またはその組み合わせからなる群から選択した一つ以上の要素を備えるものと、
（ｖｉｉｉ）光ファイバーの第１の外側クラッド領域を提供するための、複数の第１の外側クラッド母材要素（１４１）であって、前記第１の外側クラッド母材要素は、ロッド、管、またはその組み合わせからなる群から選択した複数の要素を備えるものと、
（ｉｘ）任意で、光ファイバーの、一つ以上のさらに外側のクラッド領域を提供するため、複数のさらに外側のクラッド母材要素であって、前記さらに外側のクラッド母材要素は、ロッド、管、またはその組み合わせからなる群から選択した複数の要素を備えるものと、
（ｘ）光ファイバーの外径を提供するためのオーバークラッド母材要素（１４０）であって、前記オーバークラッド母材要素は、管形状の要素を備えるものとを含み、
（ｂ）さらに、前記母材をファイバー内に引き入れる工程を備え、
前記第１の外側クラッド母材要素は、光ファイバーの二つの隣接する第１の外側クラッド要素間の最短距離が、光ファイバーにおいて伝達される一つ以上の所定の波長を有する前記光の波長より小さくなるように配置されていることを特徴とする方法。
【請求項１８５】
前記第１の外側クラッド母材要素が、光ファイバーの二つの隣接する第１の外側クラッド要素の間の最短距離が、１．０μｍより小さくなるように配置されていることを特徴とする、請求項１８４に記載の方法。
【請求項１８６】
前記一つ以上の中心母材要素が、希土類要素でドーピングされていることを特徴とする、請求項１８４または１８５に記載の方法。
【請求項１８７】
前記複数の内側クラッド母材要素が、非ドープシリカから形成されていることを特徴とする、請求項１８４〜１８６のいずれか１つに記載の方法。
【請求項１８８】
前記複数の内側クラッド母材要素が、空気を含む毛細管から構成されていることを特徴とする、請求項１８４〜１８７のいずれか１つに記載の方法。
【請求項１８９】
前記第１の外側クラッド母材要素が、空気を含む毛細管から構成されており、前記毛細管は、前記内側クラッド母材要素の毛細管によって提供される空気充填率より高い空気充填率を含むことを特徴とする、請求項１８４〜１８８のいずれか１つに記載の方法。
【請求項１９０】
前記管とロッドが、円形、四角形または長方形の断面形状を有することを特徴とする、請求項１８４〜１８９のいずれか１つに記載の方法。
【請求項１９１】
前記延伸ファイバーが、その全長に渡り異なる外形を有しており、好ましくは、前記延伸ファイバー（１６０）は、一端（１６２）が円形であり、他端が（１６１）が長方形であることを特徴とする、請求項１８４〜１９０のいずれか１つに記載の方法。
【請求項１９２】
光レーザ、光増幅器、または内視鏡において、請求項１から１０５に記載の、または、請求項１８４〜１９１のいずれかに記載の方法によって製造した光ファイバーの使用。
【請求項１９３】
光レーザが、高出力レーザであり、好ましくはクラッドポンプレーザであることを特徴とする、請求項１９２に記載の使用。
【請求項１９４】
第１の外側クラッド領域が構成する空気−クラッド層の半径方向の厚さが約３．０μｍよりも大きいことを特徴とする、請求項１に記載の物品。
【請求項１９５】
半径方向の厚さが、約３．０μｍ〜約１０μｍの範囲であることを特徴とする、請求項１９４に記載の物品。
【請求項１９６】
内側クラッドが、光バンドギャップ効果によりコアに導入するのに十分な周期の内側クラッド部を有していることを特徴とする、請求項４７に記載の物品。
【請求項１９７】
コアが、少なくとも１種の稀土類元素を含んでいて、光ファイバーが、稀土類元素イオンの発光スペクトル内の周波数でバンドギャップエッジをもつようになっていることを特徴とする、請求項１９６に記載の物品。
【請求項１９８】
第１の外側クラッド領域が構成する空気−クラッド層の半径方向の厚さが約３．０μｍよりも大きいことを特徴とする、請求項１０６に記載の物品。
【請求項１９９】
半径方向の厚さが、約３．０μｍ〜約１０μｍの範囲であることを特徴とする、請求項１９８に記載の物品。
【請求項２００】
内側クラッドが、光バンドギャップ効果によりコアに導入するのに十分な周期の内側クラッド部を有していることを特徴とする、請求項１３５に記載の物品。
【請求項２０１】
コアが、少なくとも１種の稀土類元素を含んでいて、光ファイバーが、稀土類元素イオンの発光スペクトル内の周波数でバンドギャップエッジをもつようになっていることを特徴とする、請求項２００に記載の物品。